(57)【要約】【課題】第一スプリングユニットと第二スプリングユニットとを強固に連結できるとともに、円滑に折り曲げ可能なマットレスを提供する。【解決手段】上下方向に圧縮される複数のコイルスプリング１を前後方向及び左右方向に並設し略矩形状とした第一スプリングユニット２１及び第二スプリングユニット２２と、第一スプリングユニット２１及び第二スプリングユニット２２を覆う外装体２３を備え、第一スプリングユニット２１に対し第二スプリングユニット２２を折り曲げ自在に連結したマットレス２０であって、第一スプリングユニット２１と第二スプリングユニット２２との連結は、左右方向に延びる螺旋状のユニット連結ヘリカル線２４を、第一スプリングユニット２１の最後列のコイルスプリング１上端に通すとともに、第二スプリングユニット２２の最前列のコイルスプリング１上端にも通してなる。【選択図】図３
2015015999.tif 000002
【特許請求の範囲】
【請求項１】
上下方向に圧縮される複数のコイルスプリングを前後方向及び左右方向に並設し略矩形状とした第一スプリングユニット及び第二スプリングユニットと、
前記第一スプリングユニット及び第二スプリングユニットを覆う外装体を備え、前記第一スプリングユニットに対し前記第二スプリングユニットを折り曲げ自在に連結したマットレスであって、
前記第一スプリングユニットと第二スプリングユニットとの連結は、左右方向に延びる螺旋状のユニット連結ヘリカル線を、前記第一スプリングユニットの最後列の前記コイルスプリング上端に通すとともに、前記第二スプリングユニットの最前列のコイルスプリング上端にも通してなることを特徴とするマットレス。
【請求項２】
前記第一スプリングユニット及び第二スプリングユニットの下端周縁をそれぞれ補強する矩形状の下端枠線と、
前記第一スプリングユニットの上端周縁のうち後部上端を除いた三方、及び前記第二スプリングユニットの上端周縁のうち前部上端を除いた三方をそれぞれ補強する略コ字状の上端枠線を備え、
前記ユニット連結ヘリカル線を、前記上端枠線の略コ字状に開口した部分に前記上端枠線とは連結することなく配置したことを特徴とする請求項１に記載のマットレス。
【請求項３】
左右方向に延びる螺旋状の複数のスプリング連結ヘリカル線によって、前記第一スプリングユニット内の前記複数のコイルスプリングを前後左右に連結するとともに、前記第二スプリングユニット内の前記複数のコイルスプリングを前後左右に連結したことを特徴とする請求項１又は２に記載のマットレス。
【請求項４】
前記複数のコイルスプリングは円筒状の袋体であるポケットコイルにそれぞれ収容され、
前記第一スプリングユニットの後部上端及び前記第二スプリングユニットの前部上端においては前記ポケットコイルが開口し、その開口に前記ユニット連結ヘリカル線を配置したことを特徴とする請求項１又は２に記載のマットレス。
【発明の詳細な説明】
【技術分野】
【０００１】
本発明は、第一スプリングユニットに対し第二スプリングユニットを折り曲げ自在に連結したマットレスに関するものである。
【背景技術】
【０００２】
マットレスには前後方向の長さが通常のものだけでなく、身長が高い人のためのロングタイプのものがあり、また左右方向の長さについてもシングルサイズからキングサイズまで様々なサイズが存在する。
大きなマットレスの場合、購入後に寝室に搬入する際、玄関や階段を通過できないことがあるので、このときにはマットレスを吊ってベランダから引っ張り上げる等の非常に手間が掛かる搬入となってしまう。
また、マンションではマットレスがエレベーターに乗らない等、マットレスの搬入自体が不可能な場合すらある。
【０００３】
そこで、図４及び図５に示すように二つに折り曲げ自在なマットレス１０が開示されている（例えば、特許文献１参照）。
【先行技術文献】
【特許文献】
【０００４】
【特許文献１】特開２０１０−２５３１９７号公報
【０００５】
このマットレス１０は、複数のコイルスプリング１を前後方向及び左右方向に並設し略矩形状とした第一スプリングユニット１１及び第二スプリングユニット１２と、第一スプリングユニット１１及び第二スプリングユニット１２を覆う外装体１３を備える。
また、前後左右のコイルスプリング１は螺旋状のスプリング連結ヘリカル線２で連結されている。
【０００６】
そして、第一スプリングユニット１１に対し第二スプリングユニット１２を折り曲げ自在に連結した。
詳細には、図５に示すように第一スプリングユニット１１の後部上端における外装体１３と、第二スプリングユニット１２の前部上端における外装体１３を縫い合わせることで、第一スプリングユニット１１と第二スプリングユニット１２とを連結している。
【０００７】
この発明によると、マットレス１０が第一スプリングユニット１１と第二スプリングユニット１２に分かれており、連結した部分で折り曲げ自在であるので、折り曲げない場合と比べて前後方向の長さが半分になり、室内への搬入が容易になる。また、折り畳み可能であると、マットレス１０を保管する場合にも場所を取らない。
【発明の概要】
【発明が解決しようとする課題】
【０００８】
しかしながら、第一スプリングユニット１１や第二スプリングユニット１２は重量物であるので、第二スプリングユニット１２を折り曲げた状態から広げた使用状態とするときに、第二スプリングユニット１２をユーザが支えられず勢いよく第二スプリングユニット１２が倒れてしまうと、その勢いによって外装体１３の連結した部分が破損する場合がある。
【０００９】
そこで、本発明の目的とするところは、第一スプリングユニットと第二スプリングユニットとを強固に連結できるとともに、円滑に折り曲げ可能なマットレスを提供することにある。
【課題を解決するための手段】
【００１０】
上記の目的を達成するために、本発明の請求項１に記載のマットレス（２０）は、上下方向に圧縮される複数のコイルスプリング（１）を前後方向及び左右方向に並設し略矩形状とした第一スプリングユニット（２１）及び第二スプリングユニット（２２）と、前記第一スプリングユニット（２１）及び第二スプリングユニット（２２）を覆う外装体（２３）を備え、前記第一スプリングユニット（２１）に対し前記第二スプリングユニット（２２）を折り曲げ自在に連結したマットレス（２０）であって、前記第一スプリングユニット（２１）と第二スプリングユニット（２２）との連結は、左右方向に延びる螺旋状のユニット連結ヘリカル線（２４）を、前記第一スプリングユニット（２１）の最後列の前記コイルスプリング（１）上端に通すとともに、前記第二スプリングユニット（２２）の最前列のコイルスプリング（１）上端にも通してなることを特徴とする。
【００１１】
また、請求項２に記載のマットレス（２０）は、前記第一スプリングユニット（２１）及び第二スプリングユニット（２２）の下端周縁をそれぞれ補強する矩形状の下端枠線と、前記第一スプリングユニット（２１）の上端周縁のうち後部上端を除いた三方、及び前記第二スプリングユニット（２２）の上端周縁のうち前部上端を除いた三方をそれぞれ補強する略コ字状の上端枠線（２５）を備え、前記ユニット連結ヘリカル線（２４）を、前記上端枠線（２５）の略コ字状に開口した部分に前記上端枠線（２５）とは連結することなく配置したことを特徴とする。
【００１２】
また、請求項３に記載のマットレス（２０）は、左右方向に延びる螺旋状の複数のスプリング連結ヘリカル線（２）によって、前記第一スプリングユニット（２１）内の前記複数のコイルスプリング（１）を前後左右に連結するとともに、前記第二スプリングユニット（２２）内の前記複数のコイルスプリング（１）を前後左右に連結したことを特徴とする。
【００１３】
また、請求項４に記載のマットレス（２０）は、前記複数のコイルスプリング（１）は円筒状の袋体であるポケットコイルにそれぞれ収容され、前記第一スプリングユニット（２１）の後部上端及び前記第二スプリングユニット（２２）の前部上端においては前記ポケットコイルが開口し、その開口に前記ユニット連結ヘリカル線（２４）を配置したことを特徴とする。
【００１４】
ここで、上記括弧内の記号は、図面および後述する発明を実施するための形態に掲載された対応要素または対応事項を示す。
【発明の効果】
【００１５】
本発明の請求項１に記載のマットレスによれば、第一スプリングユニットと第二スプリングユニットとの連結は、左右方向に延びる螺旋状のユニット連結ヘリカル線を、第一スプリングユニットの最後列のコイルスプリング上端に通すとともに、第二スプリングユニットの最前列のコイルスプリング上端にも通してなるので、布体である外装体を縫い合わることのみで連結する場合と比べて、第一スプリングユニットと第二スプリングユニットとを強固に連結することができる。
また、ユニット連結ヘリカル線をコイルスプリングに通すだけで固定していないので、第二スプリングユニットを円滑に折り曲げ可能である。
【００１６】
また、請求項２に記載のマットレスによれば、請求項１に記載の発明の作用効果に加え、第一スプリングユニット及び第二スプリングユニットの下端周縁をそれぞれ補強する矩形状の下端枠線と、上端周縁を補強する略コ字状の上端枠線を備えるので、マットレスの外形形状を維持することができる。
そして、第一スプリングユニットの上端周縁のうち後部上端を除いた三方、及び第二スプリングユニットの上端周縁のうち前部上端を除いた三方には、上端枠線が存在しないので、ユーザが寝るときに上端枠線が体に触れず、寝心地は良好である。
しかも、ユニット連結ヘリカル線を、上端枠線の略コ字状に開口した部分に上端枠線とは連結することなく配置したので、第二スプリングユニットを円滑に折り曲げ可能である。
【００１７】
また、請求項３に記載のマットレスによれば、請求項１又は２に記載の発明の作用効果に加え、左右方向に延びる螺旋状の複数のスプリング連結ヘリカル線によって、第一スプリングユニット内の複数のコイルスプリングを前後左右に連結するとともに、第二スプリングユニット内の複数のコイルスプリングを前後左右に連結した、いわゆるボンネルコイルマットレスであり、このときユニット連結ヘリカル線とスプリング連結ヘリカル線が規則正しく並んでいるので、ユーザがマットレスに寝転がったときに違和感がない。
【００１８】
また、請求項４に記載のマットレスによれば、請求項１又は２に記載の発明の作用効果に加え、複数のコイルスプリングは円筒状の袋体であるポケットコイルにそれぞれ収容され、第一スプリングユニットの後部上端及び第二スプリングユニットの前部上端においてはポケットコイルが開口し、その開口にユニット連結ヘリカル線を配置した、いわゆるポケットコイルマットレスであっても、第一スプリングユニットと第二スプリングユニットとを強固に連結できるとともに、円滑に折り曲げ可能である。
【００１９】
なお、本発明のマットレスのように、ユニット連結ヘリカル線を第一スプリングユニットのコイルスプリング上端に通すとともに第二スプリングユニットのコイルスプリングの上端に通して、第一スプリングユニットと第二スプリングユニットを連結する点は、上述した特許文献１には全く記載されていない。
【図面の簡単な説明】
【００２０】
【図１】本発明の実施形態に係るマットレスを示す平面図である。
【図２】図１に示すマットレスにおける第一スプリングユニットと第二スプリングユニットとの連結部分を示す拡大平面図である。
【図３】図１に示すマットレスを折り曲げ始めた状態を示す要部拡大断面図である。
【図４】従来例及び本実施形態に係るマットレスの折り畳み状態及び使用状態を示す斜視図である。
【図５】従来例に係るマットレスを示す要部拡大断面図である。
【発明を実施するための形態】
【００２１】
図１乃至図４を参照して、本発明の実施形態に係るマットレス２０を説明する。
このマットレス２０は、折り畳み可能なボンネルコイルマットレス２０であり、第一スプリングユニット２１と、第二スプリングユニット２２と、外装体２３と、を備える。
そして、特に第一スプリングユニット２１と第二スプリングユニット２２との連結方法に特徴を有する。
従来例で示したものと同一部分には同一符号を付した。
なお、以下の説明では図１乃至３における紙面右側を前方、紙面左側を後方とする。
【００２２】
第一スプリングユニット２１は、上下方向に圧縮される複数のコイルスプリング１を前後方向及び左右方向に並設し略矩形状として構成されている。
詳しくは、前後方向に隣接するコイルスプリング１の軸同士を繋ぐと平面視でそれぞれ一直線上に並ぶようにコイルスプリング１を配置した。ここではコイルスプリング１を前後方向に八個、左右方向に八個並べたが、この個数は適宜変更可能である。
また、ここで使用されるコイルスプリング１は全て同じ形状のものとした。
【００２３】
そして、左右方向に延びる螺旋状の複数のスプリング連結ヘリカル線２によって、第一スプリングユニット２１内の複数のコイルスプリング１を前後左右にそれぞれ連結している。このスプリング連結ヘリカル線２は金属製である。
本実施形態においては、第一スプリングユニット２１の右端から左端まで一本のスプリング連結ヘリカル線２を渡しており、その一本のスプリング連結ヘリカル線２によって、前後に隣接する二列のコイルスプリング１全て（ここでは１６個）を連結している。よって、第一スプリングユニット２１に用いられているスプリング連結ヘリカル線２は七本である。
【００２４】
ここで、スプリング連結ヘリカル線２を回転させながら前進させることで、前列のコイルスプリング１の上端と後列のコイルスプリング１の上端に、上から下に（又は下から上に）スプリング連結ヘリカル線２を通している。
そして、コイルスプリング１の上端だけでなく、下端も同様にスプリング連結ヘリカル線２を通してコイルスプリング１同士を連結した。
【００２５】
また、第一スプリングユニット２１の下端周縁は、一辺がコイルスプリング１の直径の略八倍である矩形状の下端枠線で補強されている。第一スプリングユニット２１の外周部分と下端枠線とは、コイルスプリング１毎に連結金具２６で連結されている。
また、下端枠線の一辺を除いた略コ字状である上端枠線２５によって、第一スプリングユニット２１の上端周縁のうち後部上端を除いた三方を補強している。この上端枠線２５も、コイルスプリング１毎に連結金具２６で連結されている。
但し、図２に示すように、ユニット連結ヘリカル線２４は上端枠線２５とは連結されていない。また、安全のため上端枠線２５の端部は左右内側に折り曲げられており、ここにキャップを嵌めて保護してもよい。
【００２６】
第二スプリングユニット２２は、第一スプリングユニット２１と同じ構成であり、第一スプリングユニット２１について前後方向を逆転させただけの違いしかない。
つまり、第二スプリングユニット２２においては、上端枠線２５の開口した部分は第二スプリングユニット２２の上端周縁のうち前部上端に位置する。
【００２７】
このような第一スプリングユニット２１と第二スプリングユニット２２とは一本の金属製のユニット連結ヘリカル線２４によって連結されている。
すなわち、左右方向に延びる螺旋状のユニット連結ヘリカル線２４を回転前進させながら、第一スプリングユニット２１の最後列の前記コイルスプリング１上端に通すとともに、第二スプリングユニット２２の最前列のコイルスプリング１上端にも通して、第一スプリングユニット２１と第二スプリングユニット２２を連結している。
よって、第一スプリングユニット２１の最も後方のスプリング連結ヘリカル線２とユニット連結ヘリカル線２４との距離は、他の隣接するスプリング連結ヘリカル線２同士の間と等しい。
ここで、実際にはユニット連結ヘリカル線２４はスプリング連結ヘリカル線２と同じものであるが、連結する場所の違いから、スプリング連結ヘリカル線２とは呼び方を変えている。
なお、スプリング連結ヘリカル線２はコイルスプリング１の上端及び下端をそれぞれ連結したが、ユニット連結ヘリカル線２４は上端にのみ配置されている。
【００２８】
外装体２３は、第一スプリングユニット２１及び第二スプリングユニット２２を覆う厚手の布体である。第一スプリングユニット２１及び第二スプリングユニット２２に着脱可能なように適宜ファスナーが設けられ、着脱のための開口部が開閉可能となっている。
また、図３に示すように、外装体２３の第一スプリングユニット２１の後部上端に対応する部分と、外装体２３の第二スプリングユニット２２の前部上端に対応する部分は常時開口しており、ここにユニット連結ヘリカル線２４が位置する。
また、外装体２３の上面は第一スプリングユニット２１から第二スプリングユニット２２まで連続しており、第一スプリングユニット２１に対して第二スプリングユニット２２を広げた使用状態では、外装体２３に境目が無く第一スプリングユニット２１と第二スプリングユニット２２が一つの大きなマットレス２０のように見える。
【００２９】
以上のように構成されたマットレス２０によれば、第一スプリングユニット２１と第二スプリングユニット２２との連結は、左右方向に延びる螺旋状のユニット連結ヘリカル線２４を、第一スプリングユニット２１の最後列のコイルスプリング１上端に通すとともに、第二スプリングユニット２２の最前列のコイルスプリング１上端にも通してなるので、布体である外装体２３を縫い合わせることのみで連結する場合と比べて、第一スプリングユニット２１と第二スプリングユニット２２とを強固に連結することができる。
また、ユニット連結ヘリカル線２４をコイルスプリング１に通すだけで固定していないので、第二スプリングユニット２２を円滑に折り曲げ可能である。
【００３０】
また、第一スプリングユニット２１及び第二スプリングユニット２２の下端周縁をそれぞれ補強する矩形状の下端枠線と、上端周縁を補強する略コ字状の上端枠線２５を備えるので、マットレス２０の外形形状を維持することができる。
そして、第一スプリングユニット２１の上端周縁のうち後部上端を除いた三方、及び第二スプリングユニット２２の上端周縁のうち前部上端を除いた三方には、上端枠線２５が存在しないので、ユーザが寝るときに上端枠線２５が体に触れず、寝心地は良好である。
しかも、ユニット連結ヘリカル線２４を、上端枠線２５の略コ字状に開口した部分に上端枠線２５とは連結することなく配置したので、第二スプリングユニット２２を円滑に折り曲げ可能である。
【００３１】
また、ユニット連結ヘリカル線２４とスプリング連結ヘリカル線２が規則正しく並んでいるので、ユーザがマットレス２０に寝転がったときに違和感がない。
【００３２】
なお、本実施形態において、マットレス２０は下端枠線と上端枠線２５を備えたが、これに限られるものではなく、マットレス２０の外形を保持可能であれば他の手段を用いてもよい。
【００３３】
また、第一スプリングユニット２１の右端から左端まで一本のスプリング連結ヘリカル線２やユニット連結ヘリカル線２４を渡したが、これに限られるものではなく、このスプリング連結ヘリカル線２やユニット連結ヘリカル線２４が複数本に分かれていてもよい。
【００３４】
また、ボンネルコイルマットレス２０の例を示したが、これに限られるものではなく、ポケットコイルマットレス２０であっても適用可能である。
つまり、複数のコイルスプリング１を円筒状の袋体であるポケットコイルにそれぞれ収容し、第一スプリングユニット２１の後部上端及び第二スプリングユニット２２の前部上端においてはポケットコイルを開口しておくと、その開口にユニット連結ヘリカル線２４を配置できる。
これにより、ポケットコイルマットレス２０であっても、第一スプリングユニット２１と第二スプリングユニット２２とを強固に連結できるとともに、円滑に折り曲げ可能である。
【００３５】
さらに、本実施形態では前後方向に二つ折り可能なマットレス２０を示したが、これに限られるものではなく、左右方向に二つ折り可能であってもよい。
また、二つ折りに限らず、マットレス２０の大きさによっては三つ折り以上であってもよい。
【符号の説明】
【００３６】
１      コイルスプリング
２      スプリング連結ヘリカル線
１０      マットレス
１１      第一スプリングユニット
１２      第二スプリングユニット
１３      外装体
２０      マットレス
２１      第一スプリングユニット
２２      第二スプリングユニット
２３      外装体
２４      ユニット連結ヘリカル線
２５      上端枠線
２６      連結金具
【図１】
2015015999.tif 000003
【図２】
2015015999.tif 000004
【図３】
2015015999.tif 000005
【図４】
2015015999.tif 000006
【図５】
2015015999.tif 000007